(57)【要約】【課題】移動ユニットの電源が切られているときに、移動ユニットが受信する呼を選択し、移動ユニットに呼を受信するための電源投入を提供する。【解決手段】登録された電源切断状態が移動ユニット中で確立される。この移動ユニットを対象とする呼が、認可された呼番号に関連していることを判定する。その呼が認可された呼番号に関連する場合には、その呼に応答して移動ユニットの電源が投入される。スイッチが、この移動ユニットを登録された電源切断状態に保持し、この移動ユニットを対象とする呼がこの移動ユニットに関連するプロファイルに関連するかどうかを判定する。その呼がそのプロファイルに関連する場合には、スイッチは、この移動ユニットの電源を投入する。【選択図】図２
2004364300.tif 000002
【特許請求の範囲】
【請求項１】
移動ユニット中で登録された電源切断状態を確立する工程と、
前記移動ユニットを対象とする呼が認可された呼番号に関連するかどうかを判定する工程と、
前記呼が前記認可された呼番号に関連する場合、前記呼に応答して前記移動ユニットの電源を投入する工程とを含むことを特徴とする方法。
【請求項２】
前記認可された呼番号をデータベースに記憶する工程をさらに含み、前記判定する工程が、前記呼が前記データベースに記憶された前記認可された呼番号に関連するかどうかを判定する工程を含むことを特徴とする請求項１に記載の方法。
【請求項３】
前記記憶する工程が、前記データベースに記憶された複数の認可された呼番号のうちの少なくとも１つを記憶する工程をさらに含むことを特徴とする請求項２に記載の方法。
【請求項４】
前記呼が認可された呼番号に関連することを判定すると、前記移動ユニットに電源を投入する前に、前記呼に関連する電話機に複数の応答オプションを送付する工程と、
前記複数の応答オプションのうちの１つを起動する工程とをさらに含み、
前記複数の応答オプションのうちの１つが、前記ネットワークに指示して前記移動ユニットの電源を投入する工程を含むことを特徴とする請求項１に記載の方法。
【請求項５】
前記移動ユニットの電源を投入した後、前記移動ユニットの電源切断を起動する工程と、
プロンプトに応答して前記移動ユニットの電源切断の少なくとも１つを実施する工程と、
前記移動ユニットについての前記登録された電源切断状態を確立する工程とをさらに含むことを特徴とする請求項１に記載の方法。
【請求項６】
移動ユニットと、
前記移動ユニットを登録された電源切断状態に保持し、前記移動ユニットを対象とする呼が前記移動ユニットに関連するプロファイルに関連するかどうかを判定し、前記呼が前記プロファイルに関連する場合に前記移動ユニットの電源を投入するスイッチとを備えることを特徴とする装置。
【請求項７】
前記プロファイルが認可された呼番号を含み、前記認可された呼番号を記憶するデータベースをさらに備え、前記認可された呼番号が複数の認可された呼番号のうちの少なくとも１つの呼番号であることを特徴とする請求項６に記載の装置。
【請求項８】
前記呼が認可された呼番号に関連するときに、前記移動ユニットの電源を投入する前に、前記スイッチが、前記呼に関連する電話機に複数の応答オプションを送付し、前記電話機によって前記複数の応答オプションのうちの１つを前記ネットワークで起動することを特徴とする請求項７に記載の装置。
【請求項９】
前記複数の応答オプションのうちの１つが、前記スイッチが前記ネットワークに指示して前記移動ユニットの電源を投入することを含むことを特徴とする請求項８に記載の装置。
【請求項１０】
前記移動ユニットの電源が投入された後、前記移動ユニットの電源切断を起動すると、前記スイッチが、前記移動ユニットにおける要求に応答して、前記移動ユニットを前記登録された電源切断状態に確立することを特徴とする請求項７に記載の装置。
【発明の詳細な説明】
【技術分野】
【０００１】
本発明は、一般にネットワークの移動ユニットに関し、より詳細には電源を切った移動ユニットの電源投入に関する。
【背景技術】
【０００２】
一例としてネットワークに関する移動ユニットでは、例えば、会議中に移動ユニットが鳴り響くなど、都合の悪いときに通話の呼が開始されるのを防止するために、移動ユニットの電源が切られる。別の例では、移動ユニットに関連する電池寿命を長持ちさせるために移動ユニットの電源が切られる。移動ユニットの電源を切ることによって、移動ユニットはネットワークからの呼が受信できなくなる。あいにく、移動ユニットの電源が切られている場合には、重要な、または緊急時の呼はできなくなり、一例では、それはその移動ユニットに関連する音声メールに向けて送り出される。
【発明の開示】
【発明が解決しようとする課題】
【０００３】
したがって、移動ユニットの電源が切られているときには、移動ユニットが受信する呼を選択する必要がある。移動ユニットにこの呼を受信するために電源を投入する必要もさらに存在する。
【課題を解決するための手段】
【０００４】
一実施形態における本発明は方法を含んでいる。登録された電源切断状態が、移動ユニット中で確立される。この移動ユニットを対象とする呼が、認可された呼番号に関連していることが判定される。その呼が認可された呼番号に関連する場合には、その呼に応答して移動ユニットの電源が投入される。
【０００５】
本発明の他の一実施形態は、装置を含んでいる。この装置は、移動ユニットとスイッチとを含む。このスイッチは、この移動ユニットを登録された電源切断状態に保持し、この移動ユニットを対象とする呼が認可された呼番号に関連するかどうかを判定する。その呼が認可された呼番号に関連する場合には、このスイッチが、この移動ユニットの電源を投入する。
【０００６】
本発明のさらに他の一実施形態は物品を含んでいる。この物品は、１つまたは複数のコンピュータ読取り可能信号保持媒体を含む。この物品は、移動ユニット中で登録された電源切断状態を確立する手段をこの１つまたは複数の媒体中に含む。この物品は、認可された呼番号をデータベース中に記憶する手段をこの１つまたは複数の媒体中に含む。この物品は、この移動ユニットを対象とする呼が認可された呼番号に関連するかどうかを判定する手段をこの１つまたは複数の媒体中に含む。この物品は、その呼が認可された呼番号に関連する場合には、その呼に応答してこの移動ユニットの電源を投入する手段をこの１つまたは複数の媒体中に含む。
【０００７】
本発明の例示の実施形態の特徴は、その説明、特許請求の範囲、および添付図面から明らかとなろう。
【発明を実施するための最良の形態】
【０００８】
これら非限定的な例で論じられる特定の値および構成は、変更することができ、本発明の一実施形態を説明するために引用したものにすぎず、本発明の範囲を限定するものではない。
図１を参照すると、一例における装置１００は、スイッチ１０５、データベース１１０、ネットワーク１１５、基地局１２０、移動ユニット１２５、および電話機１３０を含んでいる。このネットワーク１１５は、電話網、例えば公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）を含む。基地局１２０はセルラ・タワーを含む。移動ユニット１２５はセルラ式電話を含む。電話機１３０は電話装置、例えば、セルラ式電話または地上通信線電話（ｌａｎｄ  ｌｉｎｅ  ｐｈｏｎｅ）を含む。
【０００９】
このスイッチ１０５は、ネットワーク１１５と情報をやりとりし、電話機１３０から呼を受信する。スイッチ１０５は、データベース１１０と情報をやりとりし、その呼の被呼側、例えば移動ユニット１２５に関連するプロファイルを検索する。スイッチ１０５は、ネットワーク１１５と情報をやりとりし、複数の応答オプションを電話機１３０に送付する。スイッチ１０５は、基地局１２０と情報をやりとりし、移動ユニット１２５の電源を投入する。一例では、スイッチ１０５は、複数の応答オプションのうちの第１の応答オプションを電話機１３０に送付して、その呼をこの移動ユニット１２５に関連する音声メールに向けて送る。別の例では、スイッチ１０５は、複数の応答オプションのうちの第２の応答オプションを電話機１３０に送付して、スイッチ１０５にこの移動ユニット１２５の電源を投入するように指示する。
【００１０】
スイッチ１０５は、この移動ユニット１２５に対する電源投入メッセージを起動することによって、一例の移動ユニット１２５の電源を投入する。スイッチ１０５は、この移動ユニット１２５に関連する移動ユニット１２５の電源切断のオプションを保持する。
【００１１】
データベース１１０はこの移動ユニット１２５に関連するプロファイルを記憶する。このプロファイルは移動ユニット１２５に関連する複数の認可された呼番号を含む。移動ユニット１２５のユーザは、移動ユニット１２５の第１のユーザ・インターフェースを使用して、複数の認可された呼番号をそのデータベース１１０中に用意する。複数の認可された呼番号は、移動ユニット１２５のユーザが呼を選択して受信する対象となる複数の呼番号を示す。
【００１２】
動作中は、移動ユニット１２５は、電源切断状態、登録された電源切断状態、および電源投入状態のうちのどれか一状態を確立する。この登録された電源切断状態の一例は、「Ｍｅｔｈｏｄ  ａｎｄ  Ａｐｐａｒａｔｕｓ  ｆｏｒ  Ｐｏｗｅｒ  Ｓａｖｉｎｇ  ｉｎ  ａ  Ｍｏｂｉｌｅ  Ｔｅｒｍｉｎａｌ  ｗｉｔｈ  Ｅｓｔａｂｌｉｓｈｅｄ  Ｃｏｎｎｅｃｔｉｏｎ」という名称の、２００２年１０月８日にＬａｒｓｓｏｎ他に発行された米国特許第６，４６３，３０７号中に開示されている。
【特許文献１】米国特許第６，４６３，３０７号
【００１３】
移動ユニット１２５のユーザが移動ユニット１２５の電源切断を開始するとき、この移動ユニット１２５は、そのユーザに移動ユニット１２５の電源を切断する１つまたは複数のオプションを提供する。１つまたは複数のオプションのうちの第１のオプションは、移動ユニット１２５が電源切断状態を確立することを含み、ここでは、移動ユニット１２５は、ネットワーク１１５からのすべての呼を受信することができない。１つまたは複数のオプションのうちの第２のオプションは、移動ユニット１２５が登録された電源切断状態を確立することを含み、ここでは、移動ユニット１２５は、複数の認可された呼番号が指定する呼を受信する。移動ユニット１２５は、スイッチ１０５と情報をやりとりして移動ユニット１２５の電源を切断する１つまたは複数のオプションのうちから選択されたオプションを示す。スイッチ１０５はこの移動ユニット１２５の電源切断のオプションを使用して移動ユニット１２５の電源を投入する。
【００１４】
図２を参照すると、移動ユニット１２５は登録された電源切断状態を確立している。ステップ２０２で、移動ユニット１２５のユーザは、第１のユーザ・インターフェースを使用して複数の認可された呼番号をデータベース１１０中に用意する。ステップ２０５で、電話機１３０は、スイッチ１０５によって受信される、移動ユニット１２５に宛てた呼を開始する。ステップ２１０で、スイッチ１０５は、その呼が、この移動ユニット１２５に関連するプロファイルの複数の認可された呼番号のうちの１つの認可された呼番号に関連するかどうかを判定する。その呼が１つの認可された呼番号に関連しない場合、ステップ１２５で、この呼はこの移動ユニット１２５に関連する音声メールに経路指定される。
【００１５】
その呼が１つの認可された呼番号に関連する場合、ステップ２２０で、スイッチ１０５は、複数の応答オプションを電話機１３０に送付する。一例では、スイッチ１０５は、電話機１３０のユーザに対してこの移動ユニット１２５に呼を経路指定する際の遅延を知らせるメッセージを再生する。この遅延は、移動ユニット１２５がその登録された電源切断状態から電源投入状態を確立するための時間に相当する。例えば、スイッチ１０５は、その電話機１３０のユーザに対して移動ユニット１２５に電源を投入するための遅延が２０秒含まれることを示すメッセージを再生する。
【００１６】
ステップ２１５で、電話機１３０のユーザは、第１の応答オプションを選択して移動ユニット１２５に関連する音声メールにその呼を向けて送る。ステップ２２２で、電話機１３０のユーザは、第２の応答オプションを選択してスイッチ１０５に指示して移動ユニット１２５の電源を投入する。その呼が１つの認可された呼番号に関連する場合には、ステップ２２５で、スイッチ１０５は移動ユニット１２５の電源を投入し、その呼を移動ユニット１２５へと経路指定する。
【００１７】
本明細書中に記載のステップまたは動作は単なる例にすぎない。本発明の趣旨から逸脱することなく、これらのステップまたは動作には多数の変形形態が存在し得る。例えば、ステップを異なる順序で実施することができ、またステップを追加し、削除し、あるいは修正することもできる。
【００１８】
装置１００は、少なくとも１つのコンピュータが読取り可能な信号保持媒体を使用する。装置１００のためのコンピュータ読取り可能信号保持媒体の一例には、１つまたは複数の磁気データ記憶媒体、電気データ記憶媒体、光データ記憶媒体、生物データ記憶媒体、および原子データ記憶媒体など、記録可能データ記憶媒体の例が含まれる。一例の記録可能データ記憶媒体は、記憶装置１０１および２０１を含む。他の例では、装置１００のためのコンピュータ読取り可能信号保持媒体は、装置１００を含み、または装置１００に結合されたネットワーク、例えば、１つまたは複数の電話網、「ローカル・エリア・ネットワーク」（Ｌｏｃａｌ  Ａｒｅａ  Ｎｅｔｗｏｒｋ：ＬＡＮ）、インターネット、および無線ネットワーク上を伝送される変調された搬送信号を含む。装置１００の構成要素の一例は、当業者なら理解されるように、いくつかのプログラミング言語のうちのどれかで書かれ、または実装される１組および／または一連のコンピュータ命令を使用し、かつ／または含んでいる。
【００１９】
本発明の実装形態の一例を、本明細書中に詳細に示し、説明してきたが、本発明の趣旨を逸脱することなく、様々な変更、追加、代替などを行うことができ、したがって、これらが、添付の特許請求の範囲に定義される本発明の範囲内に含まれると考えられることが、当業者には明らかであろう。
【図面の簡単な説明】
【００２０】
【図１】スイッチ、データベース、ネットワーク、基地局、移動ユニット、および電話機を含む装置の実装形態の一例を示す図である。
【図２】図１の装置のうちの移動ユニットの電源を投入するネットワークのプロセス・フローの一例を示す図である。
【図１】
2004364300.tif 000003
【図２】
2004364300.tif 000004